(57)【要約】  本発明のユーザ端末は、複数の下り共有チャネルに対する送達確認情報の送信に用いられる上り制御チャネル用に同一のスロットを示す所定フィールド値をそれぞれ含む複数の下り制御情報（ＤＣＩ）を受信する受信部と、前記上り制御チャネル用のリソースの決定に用いられる制御チャネル要素（ＣＣＥ）のインデックスの導出を制御する制御部と、を具備することを特徴とする。これにより、上り制御チャネル用のリソースを適切に決定できる。
2020021720.tif 000002
【特許請求の範囲】
【請求項１】
複数の下り共有チャネルに対する送達確認情報の送信に用いられる上り制御チャネル用に同一のスロットを示す所定フィールド値をそれぞれ含む複数の下り制御情報（ＤＣＩ）を受信する受信部と、
前記上り制御チャネル用のリソースの決定に用いられる制御チャネル要素（ＣＣＥ）のインデックスの導出を制御する制御部と、
を具備することを特徴とするユーザ端末。
【請求項２】
前記制御部は、前記複数のＤＣＩが複数のセルで検出される場合、前記複数のセルの中で降順又は昇順の最初のインデックスのセルで検出されるＤＣＩを用いて導出される制御チャネル要素（ＣＣＥ）のインデックスに基づいて、前記リソースを決定することを特徴とする請求項１に記載のユーザ端末。
【請求項３】
前記制御部は、前記複数のＤＣＩが異なる時間領域リソースで検出される場合、最後のＤＣＩを用いて導出される制御チャネル要素（ＣＣＥ）のインデックスに基づいて、前記リソースを決定することを特徴とする請求項１又は請求項２に記載のユーザ端末。
【請求項４】
前記制御部は、前記ＣＣＥのインデックスの導出に用いられるＤＣＩの検出ミスを認識する場合、
前記ＣＣＥのインデックスが固定値であると想定して前記リソースを決定する、
前記リソースの識別子に基づいて前記リソースを決定する、又は、
実際に検出されたＤＣＩの中で所定のルールに基づいて決定されるＤＣＩが配置されるＣＣＥのインデックスに基づいて前記リソースを決定することを特徴とする請求項２又は請求項３に記載のユーザ端末。
【請求項５】
前記制御部は、前記ＣＣＥのインデックスの導出に用いられるＤＣＩが配置される制御リソースセット内のＣＣＥの数に基づいて、前記リソースを決定することを特徴とする請求項１から請求項４のいずれかに記載のユーザ端末。
【請求項６】
前記制御部は、前記ＣＣＥのインデックスとは独立したルールを用いて導出されるＤＣＩが配置される制御リソースセット内のＣＣＥの数に基づいて、前記リソースを決定することを特徴とする請求項１から請求項４のいずれかに記載のユーザ端末。
【発明の詳細な説明】
【技術分野】
【０００１】
本発明は、次世代移動通信システムにおけるユーザ端末に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
また、既存のＬＴＥシステム（例えば、ＬＴＥ  Ｒｅｌ．８−１３、以下、単にＬＴＥとも表記する）では、ユーザ端末は、下り制御情報（ＤＣＩ：Downlink  Control  Information）によりスケジューリングされる下り共有チャネル（例えば、ＰＤＳＣＨ：Physical  Downlink  Shared  Channel）を受信する。ユーザ端末は、当該下り共有チャネルに対する送達確認情報（ＨＡＲＱ−ＡＣＫ：Hybrid  Automatic  Repeat  reQuest−ACKnowledge、ＡＣＫ／ＮＡＣＫ：ACKnowledge／Non-ACK）を含む上り制御情報（ＵＣＩ：Uplink   Control  Information）を、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、単にＮＲとも表記する）では、ユーザ端末は、下り共有チャネル（例えば、ＰＤＳＣＨ）の送達確認情報（例えば、ＨＡＲＱ−ＡＣＫ、ＡＣＫ／ＮＡＣＫ）を含むＵＣＩの送信に用いる上り制御チャネル用のリソース（例えば、ＰＵＣＣＨリソース）を、当該下り共有チャネルをスケジューリングするＤＣＩ内の所定フィールド（ＰＵＣＣＨリソース識別子（ＰＲＩ：PUCCH  resource  indicator/indication）フィールド等ともいう）の値に基づいて決定することが検討されている。また、ＮＲでは、例えば、当該ＤＣＩが配置される制御チャネル要素（ＣＣＥ：Control  Channel  Element）のインデックス等の他のパラメータに基づいて、上記上り制御チャネル用のリソースを決定することも検討されている。【０００７】
しかしながら、同一のＰＵＣＣＨを用いてＨＡＲＱ−ＡＣＫをフィードバックすることを示す複数のＤＣＩが、時間領域及び周波数領域の少なくとも一つ（例えば、複数のスロット及び複数のセルの少なくとも一つ）において検出される場合、上記上り制御チャネル用のリソースを適切に決定できない結果、上り制御チャネルの誤り率が増加する恐れがある。【０００８】
本発明はかかる点に鑑みてなされたものであり、上り制御チャネル用のリソースを適切に決定可能なユーザ端末を提供することを目的の一つとする。
【課題を解決するための手段】
【０００９】
本発明のユーザ端末の一態様は、複数の下り共有チャネルに対する送達確認情報の送信に用いられる上り制御チャネル用に同一のスロットを示す所定フィールド値をそれぞれ含む複数の下り制御情報（ＤＣＩ）を受信する受信部と、前記上り制御チャネル用のリソースの決定に用いられる制御チャネル要素（ＣＣＥ）のインデックスの導出を制御する制御部と、を具備することを特徴とする。
【発明の効果】
【００１０】
本発明によれば、上り制御チャネル用のリソースを適切に決定できる。
【図面の簡単な説明】
【００１１】
【図１】図１は、ＰＲＩと上位レイヤシグナリングにより設定されるＰＵＣＣＨリソースとの関連付けの一例を示す図である。
【図２】図２Ａ及び２Ｂは、ＰＵＣＣＨリソースの決定の一例を示す図である。
【図３】図３は、第１の態様に係る周波数領域で複数のＤＣＩが検出される場合のＰＵＣＣＨリソースの決定の一例を示す図である。
【図４】図４は、第１の態様に係る周波数領域で複数のＤＣＩが検出される場合のＰＵＣＣＨリソースの決定の他の例を示す図である。
【図５】図５は、第１の態様に係る時間領域で複数のＤＣＩが検出される場合のＰＵＣＣＨリソースの決定の一例を示す図である。
【図６】図６は、本実施の形態に係る無線通信システムの概略構成の一例を示す図である。
【図７】図７は、本実施の形態に係る無線基地局の全体構成の一例を示す図である。
【図８】図８は、本実施の形態に係る無線基地局の機能構成の一例を示す図である。
【図９】図９は、本実施の形態に係るユーザ端末の全体構成の一例を示す図である。
【図１０】図１０は、本実施の形態に係るユーザ端末の機能構成の一例を示す図である。
【図１１】図１１は、本実施の形態に係る無線基地局及びユーザ端末のハードウェア構成の一例を示す図である。
【発明を実施するための形態】
【００１２】
（ＰＵＣＣＨフォーマット）
ＮＲでは、上り制御情報（ＵＣＩ：Uplink  Control  Information）の送信に用いられる上り制御チャネル（例えば、ＰＵＣＣＨ）用の構成（フォーマット、ＰＵＣＣＨフォーマット（ＰＦ）等ともいう）が検討されている。
【００１３】
ここで、ＵＣＩは、下り共有チャネル（例えば、ＰＤＳＣＨ：Physical  Downlink  Shared  Channel）に対する送達確認情報（ＨＡＲＱ−ＡＣＫ：Hybrid  Automatic  Repeat  reQuest−ACKnowledge、ＡＣＫ／ＮＡＣＫ：ACKnowledge／Non-ACK）、スケジューリング要求（ＳＲ：Scheduling  Request）、チャネル状態情報（ＣＳＩ：Channel  State  Information）の少なくとも一つを含んでもよい。
【００１４】
例えば、ＮＲでは、以下のＰＵＣＣＨフォーマットが検討されている：
・１又は２ビットのＵＣＩ（例えば、ＨＡＲＱ−ＡＣＫ及びＳＲの少なくとも一つ）の送信に用いられ、１又は２シンボルで送信されるＰＵＣＣＨフォーマット（ＰＦ０、ショートＰＵＣＣＨ等ともいう）、
・１又は２ビットのＵＣＩ（例えば、ＨＡＲＱ−ＡＣＫ及びＳＲの少なくとも一つ）の送信に用いられ、４シンボル以上で送信されるＰＵＣＣＨフォーマット（ＰＦ１、ロングＰＵＣＣＨ等ともいう）、
・２ビットより大きいＵＣＩの送信に用いられ、１又は２シンボルで送信されるＰＵＣＣＨフォーマット（ＰＦ２、ショートＰＵＣＣＨ等ともいう）、
・２ビットより大きいＵＣＩの送信に用いられ、４シンボル以上で送信されるＰＵＣＣＨフォーマット（ＰＦ３、ロングＰＵＣＣＨ等ともいう）、
・２ビットより大きいＵＣＩの送信に用いられ、４シンボル以上で送信され、ＰＵＣＣＨリソースが直交カバーコード（ＯＣＣ：Orthogonal  Cover  Code）を含むＰＵＣＣＨフォーマット（ＰＦ４、ロングＰＵＣＣＨ等ともいう）。
【００１５】
以上のようなＰＵＣＣＨフォーマットのＰＵＣＣＨは、一以上のセルを含むグループ（セルグループ（ＣＧ：Cell  Group）、ＰＵＣＣＨグループ等ともいう）内の特定のセルで送信されてもよい。当該特定のセルは、例えば、プライマリセル（ＰＣｅｌｌ：Primary  Cell）、プライマリセカンダリセル（ＰＳＣｅｌｌ：Primary  Secondary  Cell）、ＰＵＣＣＨ送信用のセカンダリセル（ＳＣｅｌｌ：Secondary  Cell、ＰＵＣＣＨ−ＳＣｅｌｌ）等であってもよい。なお、「セル」は、サービングセル、コンポーネントキャリア（ＣＣ：Component  Carrier）、キャリア等とも言い換えられてもよい。
【００１６】
（ＰＵＣＣＨリソース）
また、ＮＲでは、ＰＵＣＣＨ用の一以上のリソース（ＰＵＣＣＨリソース）のセットが上位レイヤシグナリングによりに設定（configure）されてもよい。なお、上位レイヤシグナリングによる設定とは、基地局（ＢＳ（Base  Station）、送受信ポイント（ＴＲＰ：Transmission/Reception  Point）、ｅＮＢ（eNodeB）、ｇＮＢ（NR  NodeB）等ともいう）からユーザ端末（ＵＥ（User  Equipment）、端末、ＭＳ（Mobile  station）等ともいう）に対して設定（configuration）情報を通知することであってもよい。
【００１７】
また、上位レイヤシグナリングは、例えば、以下の少なくとも一つであればよい：
・ＲＲＣ（Radio  Resource  Control）シグナリング、
・ＭＡＣ（Medium  Access  Control）シグナリング（例えば、ＭＡＣ制御要素（ＭＡＣ  ＣＥ（Control  Element））、ＭＡＣ  ＰＤＵ（Protocol  Data  Unit））、
・ブロードキャストチャネル（例えば、ＰＢＣＨ：Physical  Broadcast  Channel）によって伝送される情報（例えば、マスタ情報ブロック（ＭＩＢ：Master  Information  Block））、
・システム情報（例えば、システム情報ブロック（ＳＩＢ：System  Information  Block）、最低限のシステム情報（ＲＭＳＩ：Remaining  Minimum  System  Information）、他のシステム情報（ＯＳＩ：Other  System  Information））。
【００１８】
例えば、一以上のＰＵＣＣＨリソースを含むセット（ＰＵＣＣＨリソースセット）は、ＣＣ内に設定される部分的な帯域（帯域幅部分（ＢＷＰ：Bandwidth  Part））毎に、上位レイヤシグナリングにより設定されてもよい。
【００１９】
ユーザ端末には、一以上のＰＵＣＣＨリソースセット（を示す上位レイヤパラメータ（例えば、PUCCH-ResourceSet））が設定されてもよい。ユーザ端末は、ＵＣＩのビット数（ペイロード）に基づいて、設定されたＰＵＣＣＨリソースセットの一つを決定してもよい。
【００２０】
例えば、ＵＣＩのビット数（ＮＵＣＩ）≦２である場合、第１のＰＵＣＣＨリソースセット（ＰＵＣＣＨリソースセットＩＤ＝０のＰＵＣＣＨリソースの第１のセット）が決定されてもよい。また、２＜ＮＵＣＩ≦Ｎ２である場合、第２のＰＵＣＣＨリソースセット（ＰＵＣＣＨリソースセットＩＤ＝１のＰＵＣＣＨリソースの第２のセット）が決定されてもよい。また、Ｎ２＜ＮＵＣＩ≦Ｎ３である場合、第３のＰＵＣＣＨリソースセット（ＰＵＣＣＨリソースセットＩＤ＝２のＰＵＣＣＨリソースの第３のセット）が決定されてもよい。また、Ｎ３＜ＮＵＣＩ≦１７０６である場合、第４のＰＵＣＣＨリソースセット（ＰＵＣＣＨリソースセットＩＤ＝３のＰＵＣＣＨリソースの第４のセット）が決定されてもよい。ここで、Ｎ２及びＮ３は、それぞれ、所定の閾値であり、上位レイヤシグナリングにより設定されてもよい。
【００２１】
ユーザ端末は、ＵＣＩのビット数に基づいて決定されたＰＵＣＣＨリソースセットから、ＤＣＩ内の所定フィールド（ＰＵＣＣＨリソース識別子（ＰＲＩ：PUCCH  resource  indicator/indication）フィールド、ＡＣＫ／ＮＡＣＫリソース識別子（ＡＲＩ：ACK/NACK  Resource  Indicator）フィールド、ＡＣＫ／ＮＡＣＫリソースオフセット（ＡＲＯ：ACK/NACK  Resource  Offset）フィールド等ともいう）の値に基づいて、当該ＵＣＩの送信に用いるＰＵＣＣＨリソースを決定してもよい。当該所定フィールドの値は、ＰＲＩ、ＡＲＩ、ＡＲＯ等とも呼ばれる。
【００２２】
例えば、当該ＰＵＣＣＨリソースセット内の各ＰＵＣＣＨリソースは、ＤＣＩ内のＰＲＩフィールドの各値（ＰＲＩ等ともいう）に関連付けられてもよい。当該ＤＣＩは、ＰＤＳＣＨのスケジューリングに用いられるＤＣＩ（ＤＬアサインメント、ＤＣＩフォーマット１＿０又は１＿１）であってもよい。
【００２３】
ＤＣＩ内のＰＲＩフィールドはｘビット（例えば、ｘ＝３）であってもよい。当該ＰＵＣＣＨリソースセットが２のｘ乗（例えば、ｘ＝３なら８）以下のＰＵＣＣＨリソースを含む場合、ユーザ端末は、ＰＲＩフィールドの値に関連付けられるＰＵＣＣＨリソースをＵＣＩの送信用に決定してもよい。
【００２４】
図１は、ＰＲＩと上位レイヤシグナリングにより設定されるＰＵＣＣＨリソースとの関連付けの一例を示す図である。図１に示すように、ＤＣＩ内のＰＲＩフィールドが３ビットである場合、８種類の値が、それぞれ、ＰＵＣＣＨリソースセット内の最大８個のＰＵＣＣＨリソースのリスト（ResourceList）の第１〜第８の値から得られる識別子（ＰＵＣＣＨリソースＩＤ）で識別される第１〜第８のＰＵＣＣＨリソースにマッピングされてもよい。
【００２５】
一方、ＰＵＣＣＨリソースセットが２のｘ乗（例えば、ｘ＝３なら８）を超えるＰＵＣＣＨリソースを含む場合、ユーザ端末は、ＰＲＩフィールドの値（ΔＰＲＩ、ＰＲＩ、ＡＲＩ、ＡＲＯ等ともいう）に加えて、他のパラメータに基づいて、ＵＣＩの送信用のＰＵＣＣＨリソースを決定してもよい。当該他のパラメータは、以下の少なくとも一つを含んでもよい：
・ＰＲＩフィールドを含むＤＣＩを伝送する下り制御チャネル（例えば、ＰＤＣＣＨ：Physical  Downlink  Control  Channel）の受信用の制御リソースセット（ＣＯＲＥＳＥＴ：Control  Resource  Set）ｐ内の制御チャネル要素（ＣＣＥ：Control  Channel  Element）の数（ＮＣＣＥ，ｐ）、
・当該下り制御チャネルの受信用のＣＣＥ（例えば、最初のＣＣＥ）のインデックス（ｎＣＣＥ，ｐ、ＣＣＥインデックス）。
【００２６】
例えば、ＤＣＩ内のＰＲＩフィールドが３ビットである場合、ＰＵＣＣＨリソースセット内のＰＵＣＣＨリソースの数（上記リスト（ResourceList）のサイズ、ＲＰＵＣＣＨ等ともいう）が８より大きいなら、ユーザ端末は、下記式１に基づいて、ＵＣＩの送信に用いられるＰＵＣＣＨリソース（のインデックスｒＰＵＣＣＨ）を決定してもよい。
【００２７】
【数１】
2020021720.tif 000003
ここで、ＮＣＣＥ，ｐは、ＤＣＩ（例えば、ＤＣＩフォーマット１＿０又は１＿１）内のＰＤＣＣＨ受信に対応するＣＯＲＥＳＥＴｐ内のＣＣＥ数である。ｎＣＣＥ，ｐは、ＰＤＣＣＨ受信用の第１のＣＣＥのインデックス（ＤＣＩが検出されるＰＤＣＣＨ候補内のＣＣＥの最小インデックス）である。ΔＰＲＩは、ＤＣＩ（例えば、ＤＣＩフォーマット１＿０又は１＿１）内のＰＲＩフィールドの値である。ＲＰＵＣＣＨは、ＰＵＣＣＨリソースセットに含まれるＰＵＣＣＨリソースの数である。
【００２８】
なお、各ＰＵＣＣＨリソースは、例えば、ＰＵＣＣＨに割り当てられるシンボル数、シンボルの開始インデックス、ＰＵＣＣＨに割り当てられるリソースブロック（物理リソースブロック（ＰＲＢ：Physical  Resource  Block）等ともいう）、当該リソースブロックの開始インデックス、スロット内で周波数ホッピングを適用するか否か、周波数ホッピングが適用される場合の第２ホップのＰＲＢの開始インデックス等の少なくとも一つを含んでもよい。
【００２９】
また、各ＰＵＣＣＨリソースには、上記ＰＵＣＣＨフォーマットが関連付けられ、関連付けられるＰＵＣＣＨフォーマット固有のリソース（例えば、ＰＦ０の初期巡回シフト、ＰＦ１の時間領域のＯＣＣ、ＰＦ４のＯＣＣ長、ＯＣＣインデックス等）を含んでもよい。
【００３０】
ところで、ＮＲでは、複数のＤＣＩ（例えば、ＤＣＩフォーマット１＿０又は１＿１）によってそれぞれ複数のＰＤＳＣＨがスケジューリングされる場合、ユーザ端末は、当該複数のＰＤＳＣＨに対応するＨＡＲＱ−ＡＣＫを含むＵＣＩを、同一スロット内の同一のＰＵＣＣＨを用いて、基地局にフィードバックすることも想定される。
【００３１】
この場合、当該複数のＤＣＩ内の所定フィールド（PDSCH-to-HARQ_feedback  timing  indicator  field、ＨＡＲＱフィードバックタイミング指示フィールド、ＨＡＲＱ−ＡＣＫタイミング指示フィールド等ともいう）は、当該複数のＤＣＩによりスケジューリングされるＰＤＳＣＨに対するＨＡＲＱ−ＡＣＫの送信に用いるＰＵＣＣＨ用に同一のスロットを示してもよい。
【００３２】
しかしながら、時間領域及び周波数領域の少なくとも一つで上記複数のＤＣＩが検出される場合（時間領域及び周波数領域の少なくとも一つが異なる複数のリソースで上記複数のＤＣＩが検出される場合）、ユーザ端末は、どのＤＣＩに基づいて、上記ＵＣＩの送信に用いるＰＵＣＣＨリソースを決定するかが問題となる。
【００３３】
ここで、「異なる時間領域リソース」とは、例えば、異なる複数のスロット、異なる複数のシンボル等であってもよい。また、「異なる周波数領域リソース」とは、例えば、異なる複数のセル（ＣＣ、キャリア、サービングセル等ともいう）であってもよいし、セル内の異なる部分的な帯域（帯域幅部分（ＢＷＰ：BandWidth  Part））であってもよい。当該セルのインデックスは、セルインデックス、ＣＣインデックス、キャリアインデックス等とも呼ばれる。また、当該ＢＷＰのインデックスは、ＢＷＰインデックス等とも呼ばれる。
【００３４】
図２Ａ及び２Ｂは、ＰＵＣＣＨリソースの決定の一例を示す図である。図２Ａ及び２Ｂでは、例えば、ＤＣＩ内のＰＲＩフィールド値が３ビットであり、ＵＣＩのペイロードに基づいて決定されるＰＵＣＣＨリソースセット（例えば、第１のＰＵＣＣＨリソースセット）内に最大８個のＰＵＣＣＨリソースが含まれるものとする。
【００３５】
また、図２Ａ及び２Ｂでは、複数のＤＣＩによりスケジューリングされるＰＤＳＣＨに対するＨＡＲＱ−ＡＣＫが同一のＰＵＣＣＨでフィードバックされるものとする。なお、図２Ａ及び２Ｂでは、各ＤＣＩを伝送するＰＤＣＣＨと、各ＤＣＩによりスケジューリングされるＰＤＳＣＨとが異なるスロットに配置されるが、一例にすぎず、これに限られない。
【００３６】
また、図２Ａ及び２Ｂでは、ＰＵＣＣＨは、１スロット全体に配置されるが、これに限られず、上述のどのようなＰＵＣＣＨフォーマットが用いられてもよい。
【００３７】
図２Ａに示すように、同一のＰＵＣＣＨを用いてＨＡＲＱ−ＡＣＫがフィードバックされる複数のＤＣＩが異なる時間領域リソース（例えば、異なるスロット）で検出される場合、ユーザ端末は、当該複数のＤＣＩの中で最後（last）（直近）のＤＣＩ内のＰＲＩに基づいて、上記ＰＵＣＣＨリソースを決定してもよい（例えば、図１参照）。
【００３８】
また、図２Ｂに示すように、同一のＰＵＣＣＨを用いてＨＡＲＱ−ＡＣＫがフィードバックされる複数のＤＣＩが異なる周波数領域リソース（例えば、異なるセル）で検出される場合、ユーザ端末は、当該異なるセルインデックス間で、降順（descending  order）で最初のセルインデックスのセル＃２で検出されたＤＣＩ内のＰＲＩに基づいて、上記ＰＵＣＣＨリソースを決定してもよい（例えば、図１参照）。
【００３９】
図２Ａ及び２Ｂに示すように、同一のＰＵＣＣＨを用いてＨＡＲＱ−ＡＣＫがフィードバックされる複数のＤＣＩが、異なる時間領域リソース及び異なる周波数領域リソースの少なくとも一つで検出される場合、ユーザ端末は、ＰＵＣＣＨリソースの決定に用いるＰＲＩを適切に導出できる。
【００４０】
しかしながら、上述のように、ＰＵＣＣＨリソースの決定には、ＰＲＩ以外のパラメータ（例えば、ＣＣＥインデックス及びＣＯＲＥＳＥＴ内のＣＣＥ数の少なくとも一つ）を用いる場合（例えば、ＰＵＣＣＨリソースセットが２のｘ乗（例えば、ｘ＝３なら８）を超えるＰＵＣＣＨリソースを含む場合）が想定される。
【００４１】
このため、同一のＰＵＣＣＨを用いてＨＡＲＱ−ＡＣＫがフィードバックされる複数のＤＣＩが、異なる時間領域リソース及び異なる周波数領域リソースの少なくとも一つで検出される場合、ユーザ端末が、ＰＵＣＣＨリソースの決定に用いるＰＲＩ以外のパラメータ（例えば、ＣＣＥインデックス及びＣＯＲＥＳＥＴ内のＣＣＥ数の少なくとも一つ）を適切に導出できない結果、ＰＵＣＣＨリソースを適切に決定できない恐れがある。
【００４２】
そこで、本発明者らは、ＰＵＣＣＨリソースの決定に用いるＰＲＩ以外のパラメータ（例えば、ＣＣＥインデックス及びＣＯＲＥＳＥＴ内のＣＣＥ数の少なくとも一つ）を適切に導出する方法を検討し、本発明に至った。
【００４３】
以下、本実施の形態について詳細に説明する。以下では、ＤＣＩ内のＰＲＩフィールドがｘビットで構成される場合に、ペイロードに基づいて決定されるＰＵＣＣＨリソースセット（例えば、第１のＰＵＣＣＨリソースセット）に含まれるＰＵＣＣＨリソース数が２のｘ乗より大きい場合を想定するが、これに限られない。ＰＲＩ以外のパラメータを用いてＰＵＣＣＨリソースを導出するどのような場合にも適用可能である。
【００４４】
また、本実施の形態では、同一のＰＵＣＣＨを用いて２ＤＣＩでスケジューリングされるＰＤＳＣＨのＨＡＲＱ−ＡＣＫ（２ビットのＨＡＲＱ−ＡＣＫ）をフィードバックする場合を例示するが、これに限られない。本実施の形態は、２以上のＤＣＩを受信する場合、２ビット以上のＨＡＲＱ−ＡＣＫを同一のＰＵＣＣＨを用いてフィードバックする場合にも適用可能である。
【００４５】
（第１の態様）
第１の態様では、ＰＵＣＣＨリソースの決定に用いられるＣＣＥインデックスの導出について説明する。
【００４６】
＜周波数領域で複数のＤＣＩが検出される場合＞
ユーザ端末は、同一のＨＡＲＱ−ＡＣＫタイミング（例えば、同一のスロット）を示す複数のＤＣＩが異なる周波数帯域で検出される場合、当該周波数帯域のインデックスに基づいて、ＰＵＣＣＨリソースの決定に用いるＣＣＥインデックスを決定してもよい。
【００４７】
なお、以下では、当該周波数帯域がセルである場合について説明するが、サービングセル、ＣＣ、キャリア、ＢＷＰ等であってもよい。また、以下の「セルインデックス」は、サービングセルインデックス、ＣＣインデックス、キャリアインデックス、ＢＷＰインデックス等と言い換えられてもよい。
【００４８】
例えば、同一のＨＡＲＱ−ＡＣＫタイミング（例えば、同一のスロット）を示す複数のＤＣＩが異なる複数のセルで検出される場合、ＰＵＣＣＨリソースの決定に用いられるＣＣＥインデックスは、当該複数のセルの中で降順（descending  order）又は昇順（ascending  order）の最初のセルインデックスのセルで検出されるＤＣＩから導出されてもよい。ここで、「ＤＣＩから導出されるＣＣＥインデックス」とは、例えば、当該ＤＣＩが配置される所定ＣＣＥ（最初のＣＣＥ）のＣＣＥインデックスであってもよい。
【００４９】
≪第１のＣＣＥインデックス導出≫
第１のＣＣＥインデックス導出では、ユーザ端末は、同一のＨＡＲＱ−ＡＣＫタイミングを示す複数のＤＣＩを複数のセルで検出する場合、降順の最初のセルインデックス（すなわち、最大のセルインデックス）のセルで検出されるＤＣＩから導出されるＣＣＥインデックスに基づいて、ＰＵＣＣＨリソースを決定してもよい。
【００５０】
図３は、第１の態様に係る周波数領域で複数のＤＣＩが検出される場合のＰＵＣＣＨリソースの決定の一例を示す図である。例えば、図３では、ＰＵＣＣＨ送信用に同一のスロットを示すＨＡＲＱ−ＡＣＫタイミングフィールド値を含む２ＤＣＩが、同一スロットのセル＃１及び＃２において検出されるものとする。
【００５１】
また、図３では、ユーザ端末は、当該２ＤＣＩによりそれぞれスケジューリングされる２ＰＤＳＣＨに対するＨＡＲＱ−ＡＣＫ（例えば、２ビットのＨＡＲＱ−ＡＣＫ）の送信に用いられるＰＵＣＣＨリソースを決定するものとする。
【００５２】
具体的には、ユーザ端末は、セル＃１及び＃２で検出される２ＤＣＩの中で、降順の最初のセルインデックスのセル＃２で検出されるＤＣＩ用のＣＣＥインデックスと、当該ＤＣＩ内のＰＲＩとに基づいて、上記ＰＵＣＣＨリソースを決定してもよい。当該ＰＵＣＣＨリソースの決定には、例えば、上記式１が用いられてもよい。
【００５３】
図３では、同一のＤＣＩに基づいて、ＰＵＣＣＨリソースの決定に用いられるＰＲＩ及びＣＣＥインデックスが導出される。このため、図３では、基地局が、ＤＣＩの検出ミスの可能性を考慮しながら、ＤＣＩに対するＣＣＥの割り当て、及び、ＰＵＣＣＨリソースの割り当てを容易に行うことができる。
【００５４】
また、図３では、ユーザ端末は、最大のセルインデックスのセルにおけるＤＣＩの検出をミス（miss）しない限り、当該ＤＣＩに基づいて導出されるＰＲＩ及びＣＣＥインデックスに基づいてＰＵＣＣＨリソースを適切に決定できる。このため、ユーザ端末が誤ったＰＵＣＣＨリソースを使用する場合に、他のユーザ端末に割り当てたＰＵＣＣＨリソースとの衝突によりＰＵＣＣＨの誤り率が増加するのを防止できる。
【００５５】
≪第２のＣＣＥインデックス導出≫
第２のＣＣＥインデックス導出では、ユーザ端末は、同一のＨＡＲＱ−ＡＣＫタイミングを示す複数のＤＣＩを複数のセルで検出する場合、昇順の最初のセルインデックス（すなわち、最小のセルインデックス）のセルで検出されるＤＣＩから導出されるＣＣＥインデックスに基づいて、ＰＵＣＣＨリソースを決定してもよい。
【００５６】
図４は、第１の態様に係る周波数領域で複数のＤＣＩが検出される場合のＰＵＣＣＨリソースの決定の他の例を示す図である。図４では、降順の最初のセルインデックスのセル＃２ではなく、昇順の最初のセルインデックスのセル＃１で検出されるＤＣＩ用のＣＣＥインデックスに基づいて、ＰＵＣＣＨリソースを決定する点で図３と異なる。以下では、図３との相違点を中心に説明する。
【００５７】
図４に示すように、ユーザ端末は、セル＃１及び＃２で検出される２ＤＣＩの中で、昇順の最初のインデックスのセル＃１で検出されるＤＣＩ用のＣＣＥインデックスと、降順の最初のインデックスのセル＃２で検出されるＤＣＩ内のＰＲＩとに基づいて、上記ＰＵＣＣＨリソースを決定してもよい。当該ＰＵＣＣＨリソースの決定には、例えば、上記式１が用いられてもよい。
【００５８】
一般に、同一スロットの異なるセルで検出される複数のＤＣＩの中で、昇順の最初のセルインデックス（すなわち、最小のセルインデックス）のセル（図３では、セル＃１）は、プライマリセル（ＰＣｅｌｌ：Primary  Cell）又はプライマリセカンダリセル（ＰＳＣｅｌｌ：Primary  Secondary  Cell）等、より通信品質の安定した接続セルであると想定できる。このため、インデックス値が小さいセルの方がＰＤＣＣＨの誤り率が少ないと期待できる。
【００５９】
図４に示すように、最小のセルインデックスのセル＃１で検出されたＤＣＩ用のＣＣＥインデックスを用いてＰＵＣＣＨリソースを決定することにより、ＰＵＣＣＨリソースを誤って決定してしまう確率を低減できる。この結果、ＰＵＣＣＨの衝突確率を低減できる。
【００６０】
なお、図４において、基地局は、同一スロットの異なるセルで送信するＤＣＩ内のＰＲＩを任意に設定してもよい。このため、基地局は、同一スロットの異なるセルで送信する複数のＤＣＩ内のＰＲＩを同一の値に設定可能である。一方、基地局は、当該複数のＤＣＩを配置するＣＣＥを任意に設定できるとは限らない。例えば、他のユーザ端末のＤＣＩと衝突するリソース（例えば、ＣＣＥ）には、別のＤＣＩを配置できないためである。
【００６１】
図４において、セル＃１及びセル＃２それぞれの２ＤＣＩ内のＰＲＩを同一の値に設定しておくことにより、セル＃２のＤＣＩの検出をミスする場合、ユーザ端末は、セル＃１で検出されるＤＣＩ内のＰＲＩ及びＣＣＥインデックスに基づいて、ＰＵＣＣＨリソースを適切に決定できる。
【００６２】
≪ＤＣＩの検出ミス時≫
第１及び第２のＣＣＥインデックス導出において、ユーザ端末は、各ＤＣＩ内の所定フィールド（例えば、下り割り当てインデックス（ＤＡＩ：Downlink  Assignment  Index）フィールド）の値に基づいて、ＤＣＩの検出ミスを認識してもよい。
【００６３】
ＤＡＩフィールドのビット値は、同一のＨＡＲＱ−ＡＣＫタイミングを示す複数のＤＣＩをカウントする値（カウント値、カウンタＤＡＩ（counter  DAI）等ともいう）を示してもよい。
【００６４】
この場合、ユーザ端末は、当該複数のＤＣＩ内のカウンタＤＡＩと、予め設定されるセル方向のＤＣＩの数とに基づいて、少なくとも一部のＤＣＩの検出ミスを認識してもよい（準静的コードブック（semi-static  codebook））。例えば、同一スロット内のセル方向のＤＣＩの数が２に設定される場合、ユーザ端末は、２ＤＣＩ内のカウンタＤＡＩの抜けに基づいて、一部のＤＣＩの検出ミスを認識してもよい。
【００６５】
或いは、ＤＡＩフィールドの一部のビット値（例えば、２最上位ビット（ＭＳＢ：Most  Significant  Bit））がカウンタＤＡＩを示し、ＤＡＩフィールドの残りのビット値（例えば、２最下位ビット（ＬＳＢ：Least  Significant  Bit））は当該複数のＤＣＩの総数（トータル値、トータルＤＡＩ（total  DAI）等ともいう）を示してもよい。
【００６６】
この場合、ユーザ端末は、当該複数のＤＣＩ内のカウンタＤＡＩ及びトータルＤＡＩに基づいて、少なくとも一部のＤＣＩの検出ミスを認識してもよい（動的コードブック（dynamic  codebook））。例えば、図３、４では、同一スロット内のセル＃１及び＃２で検出される２ＤＣＩ内のカウンタＤＡＩ及びトータルＤＡＩが示される。
【００６７】
図３、４に示すように、カウンタＤＡＩは、周波数方向では、セルインデックスの昇順にＤＣＩがカウントされる。このため、図３、４のセル＃１で検出されるＤＣＩについて、（カウンタＤＡＩ，トータルＤＡＩ）＝（１，２）である。また、図３、４のセル＃２で検出されるＤＣＩについて、（カウンタＤＡＩ，トータルＤＡＩ）＝（２，２）である。
【００６８】
図３、４において、ユーザ端末は、（カウンタＤＡＩ，トータルＤＡＩ）＝（１，２）のＤＣＩだけを検出する場合、（カウンタＤＡＩ，トータルＤＡＩ）＝（２，２）のＤＣＩの検出ミスを認識できる。同様に、ユーザ端末は、（カウンタＤＡＩ，トータルＤＡＩ）＝（２，２）のＤＣＩだけを検出する場合、（カウンタＤＡＩ，トータルＤＡＩ）＝（１，２）のＤＣＩの検出ミスを認識できる。
【００６９】
図３、４において、ユーザ端末は、ＣＣＥインデックスを導出するＤＣＩ（例えば、図３では、セル＃２で送信されるＤＣＩ、図４では、セル＃１で送信されるＤＣＩ）の検出ミスを認識する場合、例えば、以下の（１）〜（３）のいずれかに基づいて、ＰＵＣＣＨリソースを決定してもよい。
【００７０】
（１）ユーザ端末は、ＰＵＣＣＨリソースの決定に用いられるＣＣＥインデックスが固定値（例えば、ゼロ（zero））であると想定してもよい。当該ＰＵＣＣＨリソースの決定には、例えば、上記式１が用いられてもよい。
【００７１】
（２）ユーザ端末は、ＣＣＥインデックスに基づかず、ＡＲＩに基づいてＰＵＣＣＨリソースを決定してもよい。この場合、ユーザ端末は、上記式１を用いる場合、ＣＣＥインデックスがゼロであると想定してもよいし、或いは、上記式１とは異なる式（例えば、ＣＣＣＥインデックス用のパラメータｎＣＣＥ，ｐを除いた式）を用いてもよい。
【００７２】
（３）ユーザ端末は、実際した検出した一以上のＤＣＩ内の中で所定のルールに従って決定されるＣＣＥインデックスに基づいて、ＰＵＣＣＨリソースを決定してもよい。当該所定のルールに従って決定されるＣＣＥインデックスは、例えば、実際に検出されたＤＣＩの中で、昇順又は降順の最初のセルインデックスのＤＣＩが配置される最初のＣＣＥのＣＣＥインデックスであってもよい。
【００７３】
図３では、ＰＲＩ及びＣＣＥインデックスが同一のＤＣＩから導出される。この場合、ＣＣＥインデックスを導出するＤＣＩの検出をミスする場合、ＰＲＩも導出できない恐れがある。また、図４において、ＣＣＥインデックスを導出するＤＣＩを検出できても、ＰＲＩを導出するＤＣＩの検出をミスすることも想定される。
【００７４】
そこで、基地局は、上述のように、同一のスロット内の異なるセルのＤＣＩ内のＰＲＩを同一の値に設定してもよい。これにより、ユーザ端末は、実際に検出された他のＤＣＩのＰＲＩに基づいて、ＰＵＣＣＨリソースを決定してもよい。当該ＰＲＩは、実際に検出されたＤＣＩの中で、昇順又は降順の最初のセルインデックスのＤＣＩ内のＰＲＩであってもよい。或いは、ユーザ端末は、ＰＲＩを導出するＤＣＩの検出ミスを認識する場合、当該ＰＲＩを固定値（例えば、ゼロ）であると想定して、ＰＵＣＣＨリソースを決定してもよい。
【００７５】
≪モニタリング機会（monitoring  occasion）≫
ユーザ端末は、同一のＨＡＲＱ−ＡＣＫタイミングを示す複数のＤＣＩが異なるセルで検出される場合、セルインデックスに加えて、ＤＣＩ（ＰＤＣＣＨ）のモニタリング機会（モニタリング用の期間、モニタリング期間等ともいう）に基づいて、ＰＵＣＣＨリソースの決定に用いるＣＣＥインデックスを決定してもよい。
【００７６】
例えば、ユーザ端末は、上述のように決定されるセル（例えば、降順又は昇順の最初のセルインデックスのセル）内に一以上のモニタリング機会が設けられる場合、モニタリング機会のインデックス（モニタリング機会インデックス）間で、昇順又は降順の最初のモニタリング機会インデックスのモニタリング機会で検出されるＤＣＩに基づいて、上記ＣＣＥインデックスを決定してもよい。
【００７７】
＜時間領域で複数のＤＣＩが検出される場合＞
ユーザ端末は、同一のＨＡＲＱ−ＡＣＫタイミング（例えば、同一のスロット）を示す複数のＤＣＩが異なる時間帯域（例えば、複数のスロット、シンボル等）で検出される場合、当該複数のＤＣＩが検出されるタイミングに基づいて、ＰＵＣＣＨリソースの決定に用いるＣＣＥインデックスを決定してもよい。
【００７８】
例えば、当該ＣＣＥインデックスは、ＰＵＣＣＨ送信用に同一のスロットを示すＨＡＲＱ−ＡＣＫタイミングフィールド値を含む複数のＤＣＩのうち、最後のＤＣＩから導出されてもよい。具体的には、当該ＣＣＥインデックスは、当該最後のＤＣＩが配置される所定ＣＣＥ（最初のＣＣＥ）のＣＣＥインデックスであってもよい。
【００７９】
図５は、第１の態様に係る時間領域で複数のＤＣＩが検出される場合のＰＵＣＣＨリソースの決定の一例を示す図である。例えば、図５では、ＰＵＣＣＨ送信用に同一のスロットを示すＨＡＲＱ−ＡＣＫタイミングフィールド値を含む２ＤＣＩが、同一セル内の異なるスロットにおいて検出されるものとする。以下では、図３、４との相違点を中心に説明する。
【００８０】
図５に示すように、ユーザ端末は、異なるスロットで検出される上記２ＤＣＩの中で、最後のＤＣＩ内のＰＲＩと、当該ＤＣＩが配置される最初のＣＣＥのＣＣＥインデックスとに基づいて、上記ＰＵＣＣＨリソースを決定してもよい。当該ＰＵＣＣＨリソースの決定には、例えば、上記式１が用いられてもよい。
【００８１】
例えば、上位レイヤパラメータ（resourceList）のサイズＲＰＵＣＣＨが８より大きい第１のＰＵＣＣＨリソースセットについて、ユーザ端末が、ＰＵＣＣＨ送信用に同一のスロットを示すＨＡＲＱ−ＡＣＫタイミングフィールド値を有するＤＣＩの中で、最後のＤＣＩの検出に応じたＰＵＣＣＨ送信でＨＡＲ−ＱＡＣＫを送信する場合、ＰＵＣＣＨリソースのインデックスｒＰＵＣＣＨ（０≦ｒＰＵＣＣＨ≦ＲＰＵＣＣＨ−１）を、以下の少なくとも一つのパラメータに基づいて決定してもよい：
・ＰＵＣＣＨ送信用に同一のスロットを示すＨＡＲＱ−ＡＣＫタイミングフィールド値を有するＤＣＩの中で所定のＤＣＩのＰＤＣＣＨ受信のＣＯＲＥＳＥＴｐ内のＣＣＥ数（ＮＣＣＥ，ｐ）、
・ＰＵＣＣＨ送信用に同一のスロットを示すＨＡＲＱ−ＡＣＫタイミングフィールド値を有するＤＣＩの中で最後のＤＣＩのＰＤＣＣＨ受信の最初のＣＣＥのＣＣＥインデックス（ｎＣＣＥ，ｐ）、
・ＰＵＣＣＨ送信用に同一のスロットを示すＨＡＲＱ−ＡＣＫタイミングフィールド値を有するＤＣＩの中で最後のＤＣＩ内のＰＲＩ（ΔＰＲＩ）。
【００８２】
＜時間領域及び周波数領域の双方で複数のＤＣＩが検出される場合＞
以上のように、第１の態様では、時間領域で複数のＤＣＩが検出される場合と、周波数領域で複数のＤＣＩが検出される場合とについて別々に説明したがこれに限られない。時間領域及び周波数領域で複数のＤＣＩが検出される場合にも、上記内容を組み合わせて適用可能である。
【００８３】
例えば、同一のＨＡＲＱ−ＡＣＫタイミング（例えば、同一のスロット）を示す複数のＤＣＩが複数のスロットのそれぞれにおいて複数のセルで検出される場合、ユーザ端末は、最後のスロットの複数のセルインデックス間で、降順又は最初のセルインデックスのセルで検出されたＤＣＩに基づいて、ＰＵＣＣＨリソースの決定に用いられるＣＣＥインデックスを導出してもよい。
【００８４】
以上の第１の態様によれば、時間領域及び周波数領域の少なくとも一つにおいて、同一のＨＡＲＱ−ＡＣＫタイミングを示す複数のＤＣＩが検出される場合に、ＰＵＣＣＨリソースの決定に用いるＣＣＥインデックスを適切に導出できる。この結果、当該複数のＤＣＩでそれぞれスケジューリングされるＰＤＳＣＨのＨＡＲＱ−ＡＣＫの送信に用いるＰＵＣＣＨリソースを適切に決定できる。
【００８５】
（第２の態様）
第２の態様では、ＰＵＣＣＨリソースの決定に用いられるＣＣＥ数の導出について説明する。ユーザ端末は、上記式（１）に例示されるように、所定のＤＣＩが配置されるＣＯＲＥＳＥＴ内のＣＣＥ数に基づいて、ＰＵＣＣＨリソースを決定することが想定される。
【００８６】
なお、本明細書において、所定のＤＣＩが配置されるＣＯＲＥＳＥＴ内のＣＣＥ数は、所定のＤＣＩが配置されるサーチスペース（又は、一以上のサーチスペースのセット（サーチスペースセット））内のＣＣＥ数等と言い換えられてもよい。
【００８７】
第２の態様では、時間領域及び周波数領域の少なくとも一つにおいて、同一のＨＡＲＱ−ＡＣＫタイミングを示す複数のＤＣＩが検出される場合、ユーザ端末は、ＣＣＥインデックス又はＰＲＩを導出するＤＣＩを用いて上記ＣＯＲＥＳＥＴ内のＣＣＥ数を導出してもよいし、独自のルールに基づいて上記ＣＯＲＥＳＥＴ内のＣＣＥ数を導出してもよい。
【００８８】
＜ＣＣＥインデックスに基づく場合＞
第２の態様において、ユーザ端末は、ＣＣＥインデックス（ｎＣＣＥ，ｐ）の導出に用いられるＤＣＩが配置されるＣＯＲＥＳＥＴ内のＣＣＥ数に基づいて、ＰＵＣＣＨリソースを決定してもよい。
【００８９】
例えば、図３に示す場合、ユーザ端末は、セルインデックスの降順の最初のセル＃２で検出されるＤＣＩに基づいて、ＰＵＣＣＨリソースの決定に用いるＣＣＥインデックスを導出する。このため、ユーザ端末は、セル＃２で検出されるＤＣＩが配置されるＣＯＲＥＳＥＴ内のＣＣＥ数に基づいて、ＰＵＣＣＨリソースを決定してもよい。この場合、ＰＵＣＣＨリソースの決定に用いられるＣＣＥ数、ＰＲＩ、ＣＣＥインデックスの全てが同一のＤＣＩ（セル＃２で検出されるＤＣＩ）に基づいて導出されてもよい。
【００９０】
一方、図４に示す場合、ユーザ端末は、セルインデックスの昇順の最初のセル＃１で検出されるＤＣＩに基づいて、ＰＵＣＣＨリソースの決定に用いるＣＣＥインデックスを導出する。このため、ユーザ端末は、セル＃１で検出されるＤＣＩが配置されるＣＯＲＥＳＥＴ内のＣＣＥ数に基づいて、ＰＵＣＣＨリソースを決定してもよい。この場合、ＰＵＣＣＨリソースの決定に用いられるＣＣＥ数及びＣＣＥインデックスが同一のＤＣＩ（セル＃２で検出されるＤＣＩ）に基づいて導出され、ＰＲＩは、他のＤＣＩ（セル＃１で検出されるＤＣＩ）に基づいて導出されてもよい。
【００９１】
また、図５に示す場合、ユーザ端末は、最後のＤＣＩに基づいて、ＰＵＣＣＨリソースの決定に用いるＣＣＥインデックスを導出する。このため、ユーザ端末は、最後のＤＣＩが配置されるＣＯＲＥＳＥＴ内のＣＣＥ数に基づいて、ＰＵＣＣＨリソースを決定してもよい。この場合、ＰＵＣＣＨリソースの決定に用いられるＣＣＥ数、ＰＲＩ、ＣＣＥインデックスの全てが同一のＤＣＩ（最後のスロットで検出されるＤＣＩ）に基づいて導出されてもよい。
【００９２】
＜ＰＲＩに基づく場合＞
或いは、第２の態様において、ユーザ端末は、ＰＲＩの導出に用いられるＤＣＩが配置されるＣＯＲＥＳＥＴ内のＣＣＥ数に基づいて、ＰＵＣＣＨリソースを決定してもよい。
【００９３】
例えば、図３、４に示す場合、セルインデックスの降順の最初のセル＃２で検出されるＤＣＩに基づいて、ＰＵＣＣＨリソースの決定に用いるＰＲＩを導出する。このため、ユーザ端末は、セル＃２で検出されるＤＣＩが配置されるＣＯＥＳＥＴ内のＣＣＥ数に基づいて、ＰＵＣＣＨリソースを決定してもよい。
【００９４】
また、図５に示す場合、ユーザ端末は、最後のＤＣＩに基づいて、ＰＵＣＣＨリソースの決定に用いるＰＲＩを導出する。このため、ユーザ端末は、最後のＤＣＩが配置されるＣＯＲＥＳＥＴ内のＣＣＥ数に基づいて、ＰＵＣＣＨリソースを決定してもよい。
【００９５】
＜ＣＣＥインデックス及びＰＲＩの少なくとも一つとは独立したルールに基づく場合＞
或いは、第２の態様において、ユーザ端末は、ＣＣＥインデックス及びＰＲＩの少なくとも一つとは独立したルールに基づいてＣＣＥ数を導出し、導出されたＣＣＥ数に基づいてＰＵＣＣＨリソースを決定してもよい。
【００９６】
例えば、図３、４に示すように、同一のＨＡＲＱ−ＡＣＫタイミングを示す複数のＤＣＩが異なるセルで検出される場合、降順又は昇順の最初のセルインデックスのセルで検出されるＤＣＩから導出されるＣＣＥインデックスに基づいて、ＰＵＣＣＨリソースを決定してもよい。
【００９７】
また、図５に示すように、同一のＨＡＲＱ−ＡＣＫタイミングを示す複数のＤＣＩが異なるスロットで検出される場合、最初又は最後のスロットで検出されるＤＣＩから導出されるＣＣＥインデックスに基づいて、ＰＵＣＣＨリソースを決定してもよい。
【００９８】
また、同一のＨＡＲＱ−ＡＣＫタイミングを示す複数のＤＣＩが異なるセル及び異なるスロットで検出される場合、最初又は最後のスロットにおいて検出される複数のセルのＤＣＩの中で、降順又は昇順の最初のセルインデックスのセルで検出されるＤＣＩから導出されるＣＣＥインデックスに基づいて、ＰＵＣＣＨリソースを決定してもよい。
【００９９】
以上の第２の態様によれば、時間領域及び周波数領域の少なくとも一つにおいて、同一のＨＡＲＱ−ＡＣＫタイミングを示す複数のＤＣＩが検出される場合に、ＰＵＣＣＨリソースの決定に用いるＣＯＲＥＳＥＴ内のＣＣＥ数を適切に導出できる。この結果、当該複数のＤＣＩでそれぞれスケジューリングされるＰＤＳＣＨのＨＡＲＱ−ＡＣＫの送信に用いるＰＵＣＣＨリソースを適切に決定できる。
【０１００】
（無線通信システム）
以下、本実施の形態に係る無線通信システムの構成について説明する。この無線通信システムでは、本開示の上記各態様の少なくとも一つの組み合わせを用いて通信が行われる。
【０１０１】
図６は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０２】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０３】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１０４】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【０１０５】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１０６】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１０７】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【０１０８】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１０９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１１】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１２】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１３】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１４】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１１５】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１１６】
なお、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１１７】
ＰＣＦＩＣＨによって、ＰＤＣＣＨに用いるＯＦＤＭシンボル数が伝送されてもよい。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送されてもよい。ＥＰＤＣＣＨは、ＰＤＳＣＨ（下り共有データチャネル）と周波数分割多重され、ＰＤＣＣＨと同様にＤＣＩなどの伝送に用いられる。
【０１１８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１１９】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２０】
＜無線基地局＞
図７は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２１】
下りリンクによって無線基地局１０からユーザ端末２０に送信されるユーザデータは、上位局装置３０から伝送路インターフェース１０６を介してベースバンド信号処理部１０４に入力される。
【０１２２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２３】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２４】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１２５】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１２６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１２７】
図８は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１２８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１２９】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１３０】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３１】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１３２】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３３】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１３４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１３５】
送信信号生成部３０２は、例えば、制御部３０１からの指示に基づいて、ＤＣＩを生成する。当該ＤＣＩは、例えば、当該下りデータの割り当て情報を通知するＤＬアサインメント、上りデータの割り当て情報を通知するＵＬグラント、ＳＦＩを含むＤＣＩ等の少なくとも一つである。また、下りデータ信号には、各ユーザ端末２０からのチャネル状態情報（ＣＳＩ：Channel  State  Information）などに基づいて決定された符号化率、変調方式などに従って符号化処理、変調処理が行われる。また、下りデータ信号には、上位レイヤシグナリングにより設定（configure）される情報が含まれてもよい。
【０１３６】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１３７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１３８】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１３９】
測定部３０５は、受信した信号に関する測定を実施する。測定部３０５は、本開示に係る技術分野での共通認識に基づいて説明される測定器、測定回路又は測定装置から構成することができる。
【０１４０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４１】
なお、送受信部１０３は、下り制御情報（ＤＣＩ）を送信してもよい。具体的には、送受信部１０３は、複数の下り共有チャネルに対する送達確認情報の送信に用いられる上り制御チャネル用に同一のスロットを示す所定フィールド値をそれぞれ含む複数のＤＣＩを送信してもよい。
【０１４２】
また、送受信部１０３は、上り制御チャネル（ＰＵＣＣＨ）を受信してもよい。送受信部１０３は、当該上り制御チャネルに関する設定情報（例えば、ＰＵＣＣＨリソースなど）を上位レイヤシグナリングにより送信してもよい。
【０１４３】
制御部３０１は、前記上り制御チャネル用のリソースの決定及び割り当ての少なくとも一つを制御してもよい。例えば、制御部３０１は、前記上り制御チャネル用のリソースの識別子を示す所定フィールド（ＰＲＩフィールド）を含むＤＣＩの生成を制御してもよい。
【０１４４】
また、制御部３０１は、前記上り制御チャネルのタイミングを示す所定フィールド（ＨＡＲＱ−ＡＣＫタイミングフィールド）を含むＤＣＩの生成を制御してもよい。
【０１４５】
また、制御部３０１は、カウンタＤＡＩ（又は、カウンタＤＡＩ及びトータルＤＡＩ）を示す所定フィールド（ＤＡＩフィールド）を含むＤＣＩの生成を制御してもよい。
【０１４６】
また、制御部３０１は、ＤＣＩのＣＣＥに対する割り当てを制御してもよい。具体的には、制御部３０１は、前記上り制御チャネル用のリソースの決定に用いられるＣＣＥインデックスのＣＣＥに対して、ＤＣＩを割り当ててもよい。
【０１４７】
また、制御部３０１は、同一スロット内の複数のセルで送信されるＤＣＩ内のＰＲＩを同一の値に設定してもよい。
【０１４８】
＜ユーザ端末＞
図９は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１４９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１５２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５３】
図１０は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１５４】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５５】
制御部４０１は、ユーザ端末２０全体の制御を実施する。制御部４０１は、本開示に係る技術分野での共通認識に基づいて説明されるコントローラ、制御回路又は制御装置から構成することができる。
【０１５６】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５７】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５８】
また、制御部４０１は、無線基地局１０から通知された各種情報を受信信号処理部４０４から取得した場合、当該情報に基づいて制御に用いるパラメータを更新してもよい。
【０１５９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１６０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６１】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１６２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１６３】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６４】
測定部４０５は、受信した信号に関する測定を実施する。測定部４０５は、本開示に係る技術分野での共通認識に基づいて説明される測定器、測定回路又は測定装置から構成することができる。
【０１６５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１６６】
なお、送受信部２０３は、下り制御情報（ＤＣＩ）を受信してもよい。具体的には、送受信部２０３は、複数の下り共有チャネルに対する送達確認情報の送信に用いられる上り制御チャネル用に同一のスロットを示す所定フィールド値をそれぞれ含む複数のＤＣＩを受信してもよい。
【０１６７】
また、送受信部２０３は、上り制御チャネル（ＰＵＣＣＨ）を送信してもよい。送受信部２０３は、当該上り制御チャネルに関する設定情報（例えば、ＰＵＣＣＨリソースなど）を上位レイヤシグナリングにより受信してもよい。
【０１６８】
制御部４０１は、前記上り制御チャネル用のリソースの決定を制御してもよい。具体的には、制御部４０１は、前記上り制御チャネル用のリソースの決定に用いられる制御チャネル要素（ＣＣＥ）のインデックスの導出を制御してもよい（第１の態様）。また、制御部４０１は、前記上り制御チャネル用のリソースの決定に用いられる制御チャネル要素（ＣＣＥ）の数の導出を制御してもよい（第２の態様）。
【０１６９】
例えば、制御部４０１は、前記複数のＤＣＩが複数のセルで検出される場合、前記複数のセルの中で降順又は昇順の最初のインデックスのセルで検出されるＤＣＩを用いて導出される制御チャネル要素（ＣＣＥ）のインデックスに基づいて、前記上り制御チャネル用のリソースを決定してもよい。
【０１７０】
また、制御部４０１は、前記複数のＤＣＩが複数のスロットで検出される場合、最後のＤＣＩを用いて導出される制御チャネル要素（ＣＣＥ）のインデックスに基づいて、前記上り制御チャネル用のリソースを決定してもよい。
【０１７１】
また、制御部４０１は、前記ＣＣＥのインデックスの導出に用いられるＤＣＩの検出ミスを認識する場合、前記ＣＣＥのインデックスが固定値であると想定して前記リソースを決定してもよい。或いは、制御部４０１は、前記リソースの識別子（ＰＲＩ）に基づいて前記リソースを決定してもよい。或いは、制御部４０１は、実際に検出されたＤＣＩの中で所定のルールに基づいて決定されるＤＣＩが配置されるＣＣＥのインデックスに基づいて前記リソースを決定してもよい。
【０１７２】
また、制御部４０１は、前記ＣＣＥのインデックスの導出に用いられるＤＣＩが配置される制御リソースセット内のＣＣＥの数に基づいて、前記上り制御チャネル用のリソースを決定してもよい。
【０１７３】
また、制御部４０１は、前記ＣＣＥのインデックスとは独立したルールを用いて導出されるＤＣＩが配置される制御リソースセット内のＣＣＥの数に基づいて、前記上り制御チャネル用のリソースを決定してもよい。
【０１７４】
また、制御部４０１は、記上り制御チャネル用のリソースの決定に用いられるＰＲＩの導出を制御してもよい。また、制御部４０１は、導出されたＣＣＥインデックス、ＣＣＥの数、ＰＲＩの少なくとも一つに基づいて、ＰＵＣＣＨリソースを決定してもよい。
【０１７５】
＜ハードウェア構成＞
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１７６】
例えば、本実施の形態における無線基地局、ユーザ端末などは、本開示の無線通信方法の処理を行うコンピュータとして機能してもよい。図１１は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１７９】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１８０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１８１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施の形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１８２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１８３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１８５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８８】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８９】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１９０】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１９１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９３】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１９４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１９６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１９８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１９９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２００】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０１】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２０２】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０３】
また、情報、信号などは、上位レイヤから下位レイヤ、及び／又は下位レイヤから上位レイヤへ出力され得る。情報、信号などは、複数のネットワークノードを介して入出力されてもよい。
【０２０４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０５】
情報の通知は、本明細書において説明した態様／実施の形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２０７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２０８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２０９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２１１】
本明細書において使用する「システム」及び「ネットワーク」という用語は、互換的に使用される。
【０２１２】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２１３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２１４】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２１５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１６】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施の形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２１７】
同様に、本明細書におけるユーザ端末は、無線基地局で読み替えてもよい。この場合、上述のユーザ端末２０が有する機能を無線基地局１０が有する構成としてもよい。
【０２１８】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１９】
本明細書において説明した各態様／実施の形態は単独で用いてもよいし、組み合わせて用いてもよいし、実行に伴って切り替えて用いてもよい。また、本明細書で説明した各態様／実施の形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２２０】
本明細書において説明した各態様／実施の形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２２１】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２２】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２２３】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２２４】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２２５】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２２６】
本明細書において、「ＡとＢが異なる」という用語は、「ＡとＢが互いに異なる」ことを意味してもよい。「離れる」、「結合される」などの用語も同様に解釈されてもよい。
【０２２７】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２２８】
以上、本開示に係る発明について詳細に説明したが、当業者にとっては、本開示に係る発明が本明細書中に説明した実施の形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2020021720.tif 000004
【図２】
2020021720.tif 000005
【図３】
2020021720.tif 000006
【図４】
2020021720.tif 000007
【図５】
2020021720.tif 000008
【図６】
2020021720.tif 000009
【図７】
2020021720.tif 000010
【図８】
2020021720.tif 000011
【図９】
2020021720.tif 000012
【図１０】
2020021720.tif 000013
【図１１】
2020021720.tif 000014
【国際調査報告】
2020021720.tif 000015
2020021720.tif 000016
2020021720.tif 000017
2020021720.tif 000018